(57)【要約】  評価電子装置と、センサー装置とを有する測距計が記載されており、前記センサー装置は反射体を有するライン状構造物へ伝送信号を送るための少なくとも一つの結合プローブを備え、前記反射体は、シリンダー、例えばピストンシリンダーの、ピストンの下側にある。【選択図】図１
2010537159.tif 000002
【特許請求の範囲】
【請求項１】
評価電子装置及びセンサー装置を含む測距計であって、
前記センサー装置は、伝送信号を反射体を含むライン構造物へ送るための少なくとも一つの結合プローブと、を有し、
前記反射体は、例えば、空気シリンダーなどのシリンダーのピストンロッドの下側であることを特徴とする測距計。
【請求項２】
互いに通る２以上のピストンロッドが、同時に又は互いに独立して検知されることを特徴とする請求項１記載の測距計。
【請求項３】
前記最も内側のピストンロッドを探知するために、電磁波が、前記ピストンロッドの直径に応じて数ＭＨｚから１００ＧＨｚの周波数範囲で、円形中空導体モード、好ましくはＥ０１モードで、前記ライン構造物へ送り込まれる請求項１又は２に記載の測距計。
【請求項４】
前記最も内側のピストンロッドの前記ガイドパイプは、次のピストンロッドを探知するための同軸構造の内側の伝導体として機能する請求項１から３のうち何れかに記載の測距計。
【請求項５】
請求項３記載の前記同軸構造は、次のピストンロッドなどを探知するための同軸構造の内側の導体として機能する請求項１から４のうち何れかに記載の測距計。
【請求項６】
外側のピストンロッドを探知するために、電磁波が、ピストンロッドの直径に応じて、数ＭＨｚ乃至１００ＧＨｚの周波数帯域で、ＴＥＭ又はオーバーモードのＨ１１モードで前記同軸システムへ送り込まれる請求項１及び２に記載の測距計。
【請求項７】
前記最も内側のピストンロッドを探知するための前記電磁波のシリンダーへの注入は、独国特許出願第１０２  ０５  ９０４．７号に記載されているように機械的ステップ（電気変換ステージ）である請求項１から６のうち何れかに記載の測距計。
【請求項８】
前記同軸システムへの電磁波の注入は、誘導的に、かつ、外径が小さくなる複数の金属リングにより行われ、直径が小さくなるリングは、電磁波が同軸システムへ注入された際に最小の反射係数を達成するために電気変換ステージとして機能する請求項１から６のうち何れか１項に記載の測距計。
【請求項９】
最大の外径を有する前記リングの接触は対称的に実行され、すなわち、１８０°だけ隔てられた少なくとも２箇所、または、各接触の間が夫々９０°だけ隔てられた４箇所、各接点の間が夫々４５°だけ隔てられた８箇所である請求項８記載の測距計。
【請求項１０】
前記ピストンロッドは、下流システムを制御するための圧縮空気を伝えるために一以上の孔を有する請求項１から９のうち何れかに記載の測距計。
【請求項１１】
同軸システムへの電磁波の注入は、静電的に、又は結合スロットにより実行される請求項１から６のうち何れかに記載の測距計。
【請求項１２】
前記ピストンロッドの表面に、間に誘電性のフィラーを介装させた二つ以上の金属円盤の形態の電磁波のための短絡を設けることができる請求項１から１０のうち何れかに記載の測距計。
【請求項１３】
両モード、すなわち、円形中空導体及び同軸システムのための、より正確である独国特許出願第１０２  ０５  ９０４．７号記載の信号評価の記述。
【発明の詳細な説明】
【技術分野】
【０００１】
本発明は、ダブルピストンロッドに関する。
【背景技術】
【０００２】
食品や薬品産業の固定パイププロセスプラントにおいて、空気バルブが
（ａ）パイプラインの交差部での簡単な閉鎖のための単座閉塞バルブとして
（ｂ）二つのパイプラインからの生成物を一つのパイプラインに流させるための、および、一つのパイプラインを二つのパイプラインに分割するための単座二方向バルブとして
（ｃ）パイプラインの交差部での好ましくない生成物の混合防止の分離のための両座バルブとして、使用される。
バルブの正確な機能は、例えば、ＧＥＡ／ＴｕｃｈｅｎｈａｇｅｎやＡｌｆａ  Ｌａｖａｌといった会社の会社パンフレットに記載されている。
【０００３】
プロセスを制御するためには、バルブの位置を検知することが必要である。この目的のため、電位差計、線形可変差動変成器、又は、単にシンプルなリードスイッチなどのセンサーが用いられている。これらのセンサーは何れも取り付けが複雑であり、機械的な磨耗を部分的に受けやすく、追加の外部空間を必要とする。
【０００４】
これとは逆に、提案されているマイクロ波センサーは、ピストン空間に完全に組み込むことができ、接触なしに、そして、非常に高い精度でバルブの位置を測定する。
【図面の簡単な説明】
【０００５】
【図１】ダブルピストンロッドの検知を示す図である。
【図２】測距計の概略図である。
【図３】ダブルピストンロッドの検知を示す図である。
【図４】ダブルピストンロッドの検知を示す図である。
【図５】波の拡大図である。
【発明を実施するための形態】
【０００６】
図１は、検知される必要がある、ただ一つのピストン（遮断バルブ、ダブルシートバルブ）への全適用に用いられるセンサーの機械的構造を示す。ピストンロッドは、いわゆるガイドパイプ内を通過している。ガイドパイプは端カバーに強固に連結されている。ガイドパイプの端には、独国特許出願公開１０２  ０５  ９０４．７号明細書に記載されているようにアンテナが存在する。例えばプラスチックインサートにより、同軸波がアンテナ（結合プローブ）に送られ、プローブを経由して、ガイドパイプ（図２参照）へ放射され、例えばＥモードの中空導体波に送り込まれる。電磁波は、ピストンロッドで反射され、アンテナで再び受信され、ここで再び同軸波へと変換され、かくしてピストンロッドの位置を決定するために、下流信号プロセスによって、送信された電磁波と、受信した電磁波との位相が評価される。ピストンロッド６の端には、高周波短絡がＰＰＳ４０材などの誘電性のフィラーをともなった２枚の円盤１７の形態で設けられる。さらに、例えばＥ０１など、電磁波のフィールドタイプを適切に選択することによって、例えば、圧縮空気を下流側のシステムに伝えるために、ピストンロッドの中央に孔を設けることが可能である。
【０００７】
二重着座バルブでは、互いに入り込む二つのピストンロッドの位置が同時に検知される。図１はその形態を示す。ここで、すでに単着座バルブについて既に記載したように、内側のピストンロッドはガイドパイプ内を通る。マイクロ波センサー及びアンテナを経由した電磁波の注入は同様である。第２の外側のピストンロッドを検知するため、同軸システムが実現されている。ここでは、ガイドパイプは同軸システムの内側の導体として役立つ。そして、この内側の導体との誘導結合によって電磁波が注入される。この目的のため、最善の可能な高周波の適用を達成するために、二つのステージ（図２に示す）又はそれ以上のステージの交差が実現されている。誘導結合は、その外径が徐々に小さくなり、例えば、ねじ止めにより、ガイドパイプに強固にかつ導電的に連結された、二又はそれ以上の円盤からなる。誘導性の交点、すなわち、最大直径の円盤は、同軸のフィードラインによって、外側が直接接触されている。この接触は、対称に行われなければならないから、少なくとも２つのフィードラインが必要である。もちろん、４つ、８つ、１６つなどの接触を３６０°に亘って対称的に配置することもできる。ＴＥＭモード又は好ましくは、同軸Ｈ１１モードは波タイプとして作られる。図２は、両センサーへの波の進行を示す。ここで、送受信モジュールからの電磁波の同軸のフィードラインも、例えば、圧縮ガラス又は、プラスチックインサートにより実現されている。
【０００８】
送受信電子装置は、注入プレートの後の空間に配置されている。注入プレートを貫く同軸アンテナフィードラインは、送受信装置に直接接続されている。一般的に、送受信電子装置は、例えば、表面実装部品の形で導電板に固定される。
伝送周波数は、ドライブの機械的な設計に応じて数百ＭＨｚ乃至約１００ＧＨｚの範囲である。しかしながら、このシステムの大きな利点は、十分確立したバルブのサイズの非常に広範囲にわたって、ピストンロッド及びガイドパイプの直径は一定のままにすることができるため、センサーを例外なく使用することができることである。
【０００９】
食品や薬品産業の固定パイプの加工プラントにおいて、空気バルブが
（ａ）パイプラインの交差部での単純な閉鎖のための単座閉塞バルブとして
（ｂ）二つのパイプラインからの生成物を一つのパイプラインに合流させるための、および、一つのパイプラインを二つのパイプラインに分割するための二方向単座バルブとして
（ｃ）パイプラインの交差部での好ましくない生成物の混合防止の分離のための両座バルブとして使用される。
バルブの正確な機能は、例えば、ＧＥＡ／ＴｕｃｈｅｎｈａｇｅｎやＡｌｆａ  Ｌａｖａｌといった会社の会社パンフレットに記載されている。
【００１０】
工程を制御するためには、バルブの位置を検知することが必要である。このため、電位差計、線形可変差動変成器、又は、単なるリードスイッチなどのセンサーが用いられている。これらのセンサーは何れも取り付けが複雑であり、機械的な磨耗を部分的に受け、追加の外部空間を必要とする。
【００１１】
これとは逆に、提案されているマイクロ波センサーは、ピストン空間に完全に組み込むことができ、いかなる接触もなく、非常に高い精度でバルブの位置を測定する。
【００１２】
図３は、検知される必要がある、ただ一つのピストン（遮断バルブ、ダブルシートバルブ）への全適用に用いられるセンサーの機械的構造を示す。ピストンロッドは、いわゆるガイドパイプ内を通る。ガイドパイプは端カバーに強固に連結されている。ガイドパイプの端には、独国特許出願公開１０２  ０５  ９０４．７号明細書に記載されているようなアンテナが存在する。同軸波が、例えば、プラスチックインサートにより、アンテナ（結合プローブ）に送られ、このアンテナを経由して、ガイドパイプへと注入された（図２参照）、例えば、Ｅモードの中空導体波へ送られる。電磁波は、ピストンロッドで反射され、アンテナで再び受信され、ここで再び同軸波へと変換され、かくしてピストンロッドの位置を決定するために、下流信号プロセスによって、伝達された電磁波と、受信した電磁波との位相差が評価される。ピストンロッド６の端には、高周波短絡が、誘電性のフィラー、例えば、ＰＰＳ４０材での２枚の円盤１７の形態で設けられる。さらに、電磁波のフィールドタイプ、例えばＥ０１を適切に選択することによって、例えば、圧縮空気を下流側のシステムへ伝えるために、孔をピストンロッドの中央に設けることが可能である。
【００１３】
両座バルブでは、互いに通る二つのピストンロッドの位置が同時に検知される。図４は形態を示す。ここで、すでに単座バルブについて既に記載したように、内側のピストンロッドはガイドパイプ内を通る。マイクロ波センサー及びアンテナを経由したマイクロ波の注入は等しい。第２の外側のピストンロッドを検知するため、同軸システムが実現されている。ここでは、ガイドパイプは同軸システムの内側の導体として機能する。そして、この内側の導体との誘導結合によって電磁波が注入される。この目的のため、最善の可能な高周波の適用を達成するために、二つのステージ（図２に示す）又は三つ以上のステージの交差が実現されている。誘導結合は、例えば、ねじ止めにより、外径が徐々に小さくなり、ガイドパイプに強固にかつ導電性をもって連結された、二又はそれ以上の円盤からなる。誘導性の交点、すなわち、最大直径の円盤は、同軸のフィードラインによって、外側が直接接触されている。この接触は、対称に行わなければならないから、少なくとも２つのフィードラインが必要である。しかしながら、４つ、８つ、１６つなどの接続を３６０°に亘って対称的に配置することもできる。ＴＥＭモード、好ましい同軸Ｈ１１モードが波タイプとして形成される。図５は、両センサーについての波の進行を示す。ここで、送受信モジュールからの電磁波の同軸のフィードラインも、例えば、圧縮ガラスや、プラスチックインサートにより実施されている。
【００１４】
送受信電子装置は、注入プレートの後の空間に配置されている。注入プレートを挿通する同軸アンテナフィードラインは、送受信電子装置に直接接続される。一般的に、送受信電子装置は、フィードラインは、例えば、表面実装部品の形態で導体板に固定される。
【００１５】
伝送周波数は、ドライブの機械的な設計によるが数百ＭＨｚ乃至約１００ＧＨｚの範囲である。しかしながら、このシステムの大きな利点は、うまく確立したバルブのサイズの広い範囲にわたって、ピストンロッド及びガイドパイプの直径が一定のままにすることができるため、センサーが例外なく使用することができることである。
【図１】
2010537159.tif 000003
【図２】
2010537159.tif 000004
【図３】
2010537159.tif 000005
【図４】
2010537159.tif 000006
【図５】
2010537159.tif 000007
【手続補正書】
【提出日】平成22年5月12日(2010.5.12)
【手続補正１】
【補正対象書類名】明細書
【補正対象項目名】全文
【補正方法】変更
【補正の内容】
【発明の詳細な説明】
【技術分野】
【０００１】
本発明は、ダブルピストンロッドに関する。
【背景技術】
【０００２】
食品や薬品産業の固定パイププロセスプラントにおいて、空気バルブが
（ａ）パイプラインの交差部での簡単な閉鎖のための単座閉塞バルブとして
（ｂ）二つのパイプラインからの生成物を一つのパイプラインに流させるための、および、一つのパイプラインを二つのパイプラインに分割するための単座二方向バルブとして
（ｃ）パイプラインの交差部での好ましくない生成物の混合防止の分離のための両座バルブとして、使用される。
【０００３】
バルブの正確な機能は、例えば、ＧＥＡ／ＴｕｃｈｅｎｈａｇｅｎやＡｌｆａ  Ｌａｖａｌといった会社の会社パンフレットに記載されている。
【発明の概要】
【発明が解決しようとする課題】
【０００４】
プロセスを制御するためには、バルブの位置を検知することが必要である。この目的のため、電位差計、線形可変差動変成器、又は、単にシンプルなリードスイッチなどのセンサーが用いられている。これらのセンサーは何れも取り付けが複雑であり、機械的な磨耗を部分的に受けやすく、追加の外部空間を必要とする。
【０００５】
本発明の基礎を成す目的は、取り付けが容易であり、いかなる追加の外部空間をも必要とせず、作動中に機械的な擦り切れの影響を受けにくい、ライン構造物内の反射体の位置を検知する測距計を利用可能にすることである。さらなる本発明の目的は、このタイプの測距計を用いて、空気バルブのようなライン構造物内の反射体の位置を検知する方法を利用可能にすることである。
【課題を解決するための手段】
【０００６】
この目的は、装置については請求項１の特徴によって達成され、空気バルブについては、請求項１９の特徴により達成され、方法については、請求項２０の特徴により達成される。
【０００７】
本発明により得られる利点は、センサー装置と評価電子装置とを、バルブの中に、実際には、ライン構造物の中に又はライン構造物からそれて位置した電子装置空間の中に、電磁波を注入するアンテナの後に完全に組み込むことができることである。さらに、有益なこととして、測距計がいかなる接触もなく機能する。さらに、本発明による測距計及び方法では、ライン構造物内の反射体の位置を高精度で確立することができる。
【０００８】
本発明のさらなる有利な展開は、関連した従属項に記載されている。
バルブ内で、特に、空気バルブについて測距計を使用するときに、ピストンを移動可能に作動する空気シリンダーは、有利には、ライン構造物として役立つ。
従来技術とは逆に、提案されているマイクロ波センサー（センサー装置）は、空気バルブのシリンダーのピストン空間の中に完全に組み込まれ、いかなる接触もなく、非常に高い精度でバルブの位置を測定することができる。
【０００９】
シリンダー内で移動可能なピストンを検知するために、ピストンのピストンロッドの向かい側は、反射体として作用する。
電磁波を反射するように、ピストンロッドの向かい側は、有利には、電磁波の短絡の形態をなしている。誘電フィラーを伴った二以上の金属製の円盤の形態の構造が電磁波の短絡として好適であり、これにより、ピストンロッドの向かい側の面に取り付けることが可能である。
【００１０】
有利なさらなる展開では、互いに入り込む二つまたはそれ以上のピストンロッドを同時に又は個別に検知することができ、測距計を、例えば両座バルブについても使用することができる。
【００１１】
省スペースで、正確な周波数で、接触なく、伝送信号をライン構造物に送り込むために、最も内側のピストンロッドを検知する目的の電磁波の注入は容量性的に又は結合スロットにより行われる。
【００１２】
電磁波を注入する際に、最小の可能反射係数を得るために、電気変換ステージによってライン構造物への注入を実行することが有利である。有利なさらなる展開では、電気変換ステージは、有利には、ライン構造物内の窓に近い反射体の方向にステップ高さが減少した機械的ステップとして実行される。
【００１３】
ライン構造物内での電磁波の移動を成し遂げ、最も内側のピストンロッドを検知し、ピストンを検知する際に高精度な結果を得るため、電磁波の周波数範囲は数ＭＨｚから１００ＧＨｚの間とすることが有利である。
【００１４】
最も内側のピストンロッドを検知するために、電磁波はＥ０１モードで注入されるのが有利である。
両座バルブの第２の外側のピストンロッドを検知するために、センサー装置が同軸システムを含むのが有利である。
【００１５】
例えば、両座バルブの第２の外側のピストンロッドを検知するための同軸システムを実現するために、内側の第１のピストンロッドが作動されるガイドパイプが、同軸システムの内側の導体として作用するのが有利である。
外部に隣接するさらなるピストンロッドを検知するため、第２の外側のピストンロッドの同軸構造が、有利には、同軸構造などの内側の導体として役立つ。
【００１６】
第２の外側のピストンロッドを検知するため、電磁波は同軸構造の中へ誘導的に注入されるのが有利である。この目的のため、有利には、同軸システムの内側の導体として役立つガイドパイプにしっかりと電導性をもって接続される、外径がピストンロッドの方向に減ずる金属製のリングが有利である。
【００１７】
金属製のリング及びガイドパイプと、ガイドパイプに接続された同軸のフィード管との電導接続のために、最大径の金属リングから同軸のフィード管への誘導交差が設けられる。同軸のフィード管と最大径の金属リングとの誘導交差は、対称に、１８０°だけ隔てられた少なくとも２箇所、又は金属リング上の接触の間が９０°だけ隔てられた少なくとも４箇所、又は接触の間が４５°だけ隔てられた少なくとも８箇所行われるのが好ましい。
【００１８】
数ＭＨｚから１００ＧＨｚの周波数範囲内の周波数の電磁波による、第２の外側のピストンロッド及びさらなる外側のピストンロッドの検知は、同軸システム内のピストンロッドの径に応じて起こる。
外側のピストンロッドを検知するために、電磁波はＴＥＭ又はオーバーモードのＨ１１モードで入射されるのが有利である。
【００１９】
圧縮空気を下流システムへ送るために、有利さらなる展開では、Ｅ０１モードで電磁波を注入する際に、ピストンロッドは一又は複数の孔を備えることができる。この孔はピストンロッドの中央に設けられるのが有利である。
以下、発明の例示的な実施形態を図面によってより詳細に記載する。
【図面の簡単な説明】
【００２０】
【図１】単座バルブにおける本発明の測距計の機械的構成を示す断面図である。
【図２Ａ】両座バルブにおける本発明の測距計の構造を示す概略図である（その１）。
【図２Ｂ】両座バルブにおける本発明の測距計の構造を示す概略図である（その２）。
【図３Ａ】図２Ａ、図２Ｂによる本発明の測距計の構造を示す断面図である。
【図３Ｂ】図２Ａ、図２Ｂによる本発明の測距計の構造を示す断面図である。
【発明を実施するための形態】
【００２１】
互いに相当する部分にはすべての図に同じ参照番号が付されている。
図１は、検知される必要がある、ただ一つのピストン４（単座バルブ、遮断バルブ、両座バルブ）への全適用に用いられるセンサー（マイクロ波センサー）の機械的構造を示す。ピストンロッド６は、いわゆるガイドパイプ８内を通過している。ガイドパイプ８は端カバー１０に強固に連結されている。ガイドパイプ８の端には、独国特許出願公開１０２  ０５  ９０４．７号明細書に記載されているようにアンテナ１２が存在する。例えばプラスチックインサート１４により、同軸波がアンテナ１２（結合プローブ）に送られ、プローブ１２を経由して、ガイドパイプ８へ放射され、例えばＥモードの中空導体波１５に送り込まれる。この電磁波１５の注入は機械的ステップ１６により行われる。電磁波１５は、ピストンロッド６で反射され、アンテナ１２で再び受信され、ここで再び同軸波へと変換され、かくしてピストンロッドの位置を決定するために、下流信号プロセスによって、送信された電磁波と、受信した電磁波１５との位相が評価される。ピストンロッド６の端には、高周波短絡がＰＰＳ４０材などの誘電性のフィラーをともなった２枚の円盤１７の形態で設けられる。さらに、例えばＥ０１など、電磁波のフィールドタイプを適切に選択することによって、例えば、圧縮空気を下流側のシステムに伝えるために、ピストンロッド６の中央に孔１８を設けることが可能である。
【００２２】
両座バルブ２０では、互いに入り込む二つのピストンロッド６，２２の位置が同時に検知される。図２Ａ、２Ｂ、３Ａ、３Ｂはその形態を示す。ここで、単座バルブについて既に記載したように、内側のピストンロッド６はガイドパイプ８内を通る。マイクロ波センサー２及びアンテナ１２を経由した電磁波の注入は同様である。第２の外側のピストンロッド２２の検知のため、同軸システム２４が実現されている。ここでは、ガイドパイプ８は、第２の外側のピストンロッドの検知のための同軸システム２４の内側の導体２６として役立つ。上記の同軸システム２４の同軸構造は、さらに最外側のピストンロッドなどの検知のための同軸構造の内側の導体として役立つ。そして、この内側の導体２６との誘導結合によって電磁波２８が注入される。この目的のため、最も可能な高周波適用を達成するために、二つのステージ又はそれ以上のステージの交差３０が実現されている。誘導結合は、外径が徐々に小さくなり、例えば、ねじ止めにより、ガイドパイプ８に強固にかつ導電的に連結された、二又はそれ以上の円盤３２、３４からなる。
【００２３】
ここで、同軸システムの中への電磁波の注入で最小の反射率を達成するために、外径が徐々に小さくなる円盤（リング）は、電気変換ステージとして機能する。誘導交差３０、すなわち、最大直径３６の円盤３２は、外側３８で同軸のフィードライン４０、４２によって、直接接触されている。この接触は、対称に行われなければならないから、少なくとも２つのフィードライン４０、４２が必要である。もちろん、接触は３６０°に亘って対称的に分配され、４つ、８つ、１６つなどがあってもよい。ＴＥＭモード又は好ましくは、同軸Ｈ１１モードは波タイプとして作られる。図２Ａ、２Ｂは、両センサー２，２４の波の進行を示す。ここで、送受信モジュール４４からの電磁波２８の同軸のフィードライン４０、４２も、例えば、圧縮ガラス又は、プラスチックインサート４６により実現されている。
【００２４】
送受信電子装置４４は、注入プレート４８の後の空間に配置されている。注入プレート４８を貫く同軸アンテナフィードライン１２、４０、４２は、送受信装置４４に直接接続されている。一般的に、送受信電子装置は、例えば、表面実装部品の形で導電板に固定される。
【００２５】
伝送周波数は、ドライブの機械的な設計に応じて数百ＭＨｚ乃至約１００ＧＨｚの範囲である。しかしながら、このシステムの大きな利点は、広範囲の十分確立したバルブのサイズにわたって、ピストンロッド６，２２及びガイドパイプ８の直径は一定のままにすることができるため、センサー２、２４を例外なく使用することができることである。
【手続補正２】
【補正対象書類名】特許請求の範囲
【補正対象項目名】全文
【補正方法】変更
【補正の内容】
【特許請求の範囲】
【請求項１】
ライン構造物内の反射体（６，２２）の位置を探知するための測距計（２）であって、
伝送信号を電磁波（１５）として前記ライン構造物の中へ送るための、及び、前記反射体（６）で反射された電磁波（１５）を受信するための少なくとも一つのアンテナ（１２）を有するセンサー装置を備え、
前記送信した電磁波と前記受信した電磁波（１５）の間の位相差から前記反射体（６）の位置を決定するように設計された評価電子装置を有する測距計。
【請求項２】
前記ライン構造物は、シリンダーの形態である請求項１記載の測距計。
【請求項３】
前記反射体（６，２２）は前記シリンダーのピストンロッド（６，２２）の向かい側である請求項２記載の測距計。
【請求項４】
前記ピストンロッド（６）の向かい面に、二以上の金属製の円盤（１６）間に誘電フィラーを設けた形態の電磁波の短絡を設けることができる請求項３記載の測距計。
【請求項５】
互いに入り込む二又はそれ以上のピストンロッド（６，２２）が、同時に又は互いに独立して探知される請求項３又は４記載の測距計。
【請求項６】
最も内側のピストンロッド（６）を検知するための電磁波（１５）の注入は、静電的に、又は結合スロットにより実現されている請求項５記載の測距計。
【請求項７】
前記最も内側のピストンロッド（６）を検知するための前記シリンダー内への電磁波（１５）の注入は、電気変換ステージである請求項５又は６記載の測距計。
【請求項８】
前記電気変換ステージは、機械的ステップ（１６）により実現されている請求項７記載の測距計。
【請求項９】
前記最も内側のピストンロッド（６）を検知するために、電磁波（１５）が丸い中空導体モード、好ましくはＥ０１モードで、前記ピストンロッド（６）の径に応じた数ＭＨｚから１００ＧＨｚの周波数範囲で、前記ライン構造物の中へ送り込むことが可能である請求項６から８のうち何れかに記載の測距計。
【請求項１０】
前記センサー装置は、同軸システム（２４）を有する請求項５から９のうち何れかに記載の測距計。
【請求項１１】
前記最も内側のピストンロッド（６）の前記ガイドパイプ（８，２６）は、次のピストンロッド（２２）を検知するための同軸構造（２４）の内側の導体として役立つ請求項１０記載の測距計。
【請求項１２】
請求項１１記載の前記同軸構造は、次のピストンロッドなどを検知するための同軸構造の内側の導体として役立つ請求項１１記載の測距計。
【請求項１３】
前記同軸構造（２４）への前記電磁波（２８）の注入は、誘導的に、外径が小さくなる複数の金属製のリング（３２，３４）によって行われる請求項１０から１２のうち何れかに記載の測距計。
【請求項１４】
最大の外径（３６）を有する前記リング（３２）の接触は、対称的に１８０°だけ隔てられた少なくとも２箇所、接触の間が夫々９０°だけ隔てられた４箇所、接触の間が夫々４５°だけ隔てられた８箇所で行われている請求項１２記載の測距計。
【請求項１５】
外側のピストンロッド（２２）を検知するために、好ましくはＴＥＭ又はオーバーモードのＨ１１モードで、ピストンロッド（２６）の径に応じて数ＭＨｚから１００ＧＨｚの周波数範囲で、前記同軸構造（２４）の中へ電磁波（２８）を送り込むことができる請求項５から１４のうち何れかに記載の測距計。
【請求項１６】
下流システムを制御するための圧縮空気を運ぶために、前記ピストンロッド（６）が、の一またはそれ以上の孔（１８）を有することが可能である請求項３から１５のうち何れかに記載の測距計。
【請求項１７】
請求項１から１６のうち何れか記載の測距計を有することを特徴とする空気バルブ。
【請求項１８】
請求項１から１７のうち何れかに記載の測距計（２）によって行われる、ライン構造物内の反射体（６，２２）の位置を検知する方法であって、
前記ライン構造物の中へ伝送信号を電磁波（１５、２８）として送り込むステップと、
前記反射体で反射された前記電磁波（１５、２８）を受信するステップと、
前記送信した電磁波と、前記受信した電磁波（１５，２８）との間の位相差から、前記反射体（６，２２）の位置を決定する反射体の検知方法。
【請求項１９】
前記電磁波（１５、２８）は、数ＭＨｚから１００ＧＨｚの周波数範囲で前記ライン構造物の中へ送り込まれる請求項１８記載の反射体の検知方法。
【請求項２０】
前記電磁波（１５，２８）は、丸い中空導体モード、好ましくＥ０１モードで、或いは、ＴＥＭ又はオーバーモードのＨ１１モードでライン構造物の中へ送り込まれる請求項１８又は１９記載の反射体の検知方法。
【手続補正３】
【補正対象書類名】図面
【補正対象項目名】全図
【補正方法】変更
【補正の内容】
【図１】
2010537159.tif 000008
【図２Ａ】
2010537159.tif 000009
【図２Ｂ】
2010537159.tif 000010
【図３Ａ】
2010537159.tif 000011
【図３Ｂ】
2010537159.tif 000012
【国際調査報告】
2010537159.tif 000013
2010537159.tif 000014
2010537159.tif 000015
2010537159.tif 000016
2010537159.tif 000017
2010537159.tif 000018